(57)【要約】【課題】  照射強度が異なる複数の照射領域を簡便に形成することを可能にする。【解決手段】  皮膚に紫外線を照射するための光源１６からの紫外線の透過率が異なる複数種の遮光フィルタ１８と、これら遮光フィルタ１８を支持する支持部材６１とを備える。【選択図】  図６
2006087472.tif 000002
【特許請求の範囲】
【請求項１】
皮膚に紫外線を照射するための光源からの前記紫外線の透過率が異なる複数種の遮光フィルタと、
前記遮光フィルタを支持する支持部材と
を備える紫外線照射用器具。
【請求項２】
前記遮光フィルタの近傍には、該遮光フィルタからの照射光の光軸方向に突出されて該遮光フィルタを包囲する突出部が設けられている請求項１に記載の紫外線照射用器具。
【請求項３】
皮膚に紫外線を照射するための光源と、
前記光源からの前記紫外線の透過率が異なる複数種の遮光フィルタと
を備える紫外線照射装置。
【請求項４】
前記遮光フィルタの近傍には、該遮光フィルタからの照射光の光軸方向に突出されて該遮光フィルタを包囲する突出部が設けられている請求項３に記載の紫外線照射装置。
【請求項５】
前記光源は、紫外発光蛍光層が設けられた一対の基板を有する平板構造をなしている請求項３または４に記載の紫外線照射装置。
【請求項６】
前記遮光フィルタを支持する支持部材と、
前記支持部材が着脱可能に装着される装着部とを備える請求項３ないし５のいずれか１項に記載の紫外線照射装置。
【請求項７】
前記光源による照射光を遮断する閉塞位置と、該照射光を照射させる開放位置とに移動可能に設けられたシャッタ部材を有するシャッタ手段を備える請求項３ないし６のいずれか１項に記載の紫外線照射装置。
【請求項８】
前記シャッタ手段は、前記シャッタ部材を開閉動作させる駆動手段を有する請求項７に記載の紫外線照射装置。
【請求項９】
前記遮光フィルタからの照射光を遮断するカバー部材を備える請求項１ないし８のいずれか１項に記載の紫外線照射装置。
【発明の詳細な説明】
【技術分野】
【０００１】
本発明は、皮膚科診療において、例えば、光源から出射された紫外線を皮膚に照射して最少紅斑量を診断する、あるいは紫外線を照射して治療を行うための紫外線照射用器具および紫外線照射装置に関する。
【背景技術】
【０００２】
皮膚科診療では、光過敏性疾患等を治療する際、患者ごとに皮膚の最少紅斑量（ＭＥＤ）を算出することが求められている。最少紅斑量は、患者の皮膚に、紫外線の照射強度が異なる複数の照射領域、すなわちスポットをそれぞれ形成し、各スポットにおける皮膚の状態を、医師が目視で診察することにより判定されている。
【０００３】
このような照射強度が異なる複数のスポットを形成するために用いられる従来の紫外線照射装置としては、紫外線照射装置と別体の光源装置からの紫外線を通過させる複数の窓孔と、これら各窓孔を１つずつ順に開閉するためのシャッタを有する露光部とを備える構成が開示されている（例えば、特許文献１参照。）。
【０００４】
この従来の紫外線照射装置では、光源装置による紫外線の照射光の下で、シャッタを間欠移動させることで、各窓孔が自動的に１つずつ開閉されて、照射強度が異なる複数のスポットが順次形成される。そして、この従来の紫外線照射装置では、光源装置が設置された場所で紫外線が照射される患者から離れた場所に医師が退避し、シャッタ機構を遠隔操作することで、医師が曝露することを防ぐことが可能とされている。
【特許文献１】特開平７―８８１１３号公報
【発明の開示】
【発明が解決しようとする課題】
【０００５】
ところで、従来の紫外線照射装置と共に使用される光源装置は、一般に、紫外線の照射による治療を行うための光源装置であって、紫外線を照射するための照射専用室内に設置されている。したがって、最少紅斑量を測定する際、患者は、照射専用室内で紫外線を照射する照射部位に上述の紫外線照射装置をかざした状態で保持して、複数のスポットがそれぞれ形成される。このため、従来の紫外線照射装置では、患者が、最少紅斑量を診断するために紫外線を照射するスポットを含めて、身体の他の部位も光源装置からの紫外線に曝されてしまうという問題があった。
【０００６】
また、従来の紫外線照射装置を用いて最少紅斑量を測定する場合には、光源装置を設置する照射専用室を用意する、あるいは光源装置からの照射光を遮るための遮蔽物等を設置する必要があり、測定するために充分なスペースを確保する必要があった。
【０００７】
また、従来の紫外線照射装置では、患者に紫外線を照射する際、医師が、光源装置を操作する作業を行うと共に、紫外線が照射される患者から一旦退避する、あるいは遮蔽物によって光源装置による照射光を遮蔽する作業を行う等の必要があり、最少紅斑量の測定作業が煩雑であるという不都合があった。
【０００８】
そこで、本発明は、紫外線の照射強度が異なる複数の照射領域を簡便に形成することができる紫外線照射用器具および紫外線照射装置を提供することを目的とする。
【課題を解決するための手段】
【０００９】
上述した目的を達成するため、本発明に係る紫外線照射用器具は、皮膚に紫外線を照射するための光源からの紫外線の透過率が異なる複数種の遮光フィルタと、これら遮光フィルタを支持する支持部材とを備える。
【００１０】
以上のように構成した本発明に係る紫外線照射用器具によれば、光源から照射された紫外線を、透過率が異なる複数種の遮光フィルタを通過させることによって、紫外線の照射強度を異ならせた複数種の照射領域がそれぞれ形成される。したがって、この紫外線照射用器具によれば、照射強度が異なる複数の照射領域が簡便に形成され、照射光を機械的に遮光する必要がないので、構成の簡素化、器具全体の小型化、薄型化が図られる。
【００１１】
また、本発明に係る紫外線照射用器具は、遮光フィルタの近傍に、この遮光フィルタからの照射光の光軸方向に突出されてこの遮光フィルタを包囲する突出部が設けられることが好ましい。これによって、突出部を皮膚に突き当てて当接させることで、照射光による照射位置が安定して保持され、照射位置の精度が向上される。
【００１２】
また、本発明に係る紫外線照射装置は、皮膚に紫外線を照射するための光源と、この光源からの紫外線の透過率が異なる複数種の遮光フィルタとを備える。
【００１３】
以上のように構成された本発明に係る紫外線照射装置によれば、光源装置を設置するスペースを確保する必要がなくなり、光源からの照射光が複数種の遮光フィルタを通過することで、照射強度が異なる複数の照射領域が簡便に形成される。
【００１４】
また、本発明に係る紫外線照射装置は、遮光フィルタの近傍に、この遮光フィルタからの照射光の光軸方向に突出されてこの遮光フィルタを包囲する突出部が設けられることが好ましい。この突出部によって、各遮光フィルタを通過した照射光の照射領域の外方に照射光が漏れ出ることが防止される。加えて、この突出部を皮膚に突き当てて当接させることで、照射光による照射位置が安定して保持され、照射位置の精度が向上される。
【００１５】
また、本発明に係る紫外線照射装置が備える光源は、紫外発光蛍光層が設けられた一対の基板を有する平板構造をなしていることが好ましい。これによって、光源による照射光の照射強度が充分に確保され、照射領域における照射強度の均一性が向上され、光源を点灯させた際に所望の照射強度の照射光が速やかに得られると共に、装置全体の小型化、薄型化が図られる。
【００１６】
また、本発明に係る紫外線照射装置は、光源による照射光を遮断する閉塞位置と、この照射光を照射させる開放位置とに移動可能に設けられたシャッタ部材を有するシャッタ手段を備えてもよい。これによって、シャッタ部材を閉塞位置と開放位置とに移動させることで、紫外線の照射が確実に遮断される。
【００１７】
また、本発明に係る紫外線照射装置は、遮光フィルタからの照射光を遮断するカバー部材を備えてもよい。これによって、複数種の遮光フィルタのうちで任意の遮光フィルタを一時的に使用しない場合に、任意の遮光フィルタからの照射光を用意に遮断することが可能になり、使用する遮光フィルタが適宜調整される。
【発明の効果】
【００１８】
上述したように本発明によれば、透過率が異なる複数種の遮光フィルタによって、光源の照射光を機械的に遮光する代わりに光学的に遮光することで、照射強度が異なる複数の照射領域を簡便に形成することができる。
【発明を実施するための最良の形態】
【００１９】
以下、本発明の具体的な実施形態について、図面を参照して説明する。
【００２０】
本実施形態の紫外線照射装置は、患者の皮膚の最少紅斑量（ＭＥＤ）を診断するためのいわゆる診察器具である紫外線照射装置として使用されると共に、光線治療器としても使用することが可能に構成されている。
【００２１】
図１に示すように、紫外線照射装置１は、紫外線を照射する照射部１１と、この照射部１１を駆動制御するための制御部１２と、これら照射部１１と制御部１２とを電気的に接続する接続コード１３とを備えている。
【００２２】
照射部１１は、図２および図３に示すように、皮膚に紫外線を照射するための光源１６と、この光源１６からの紫外線の透過率が異なる複数種の遮光フィルタ１８を有するフィルタ部材１７と、光源１６を冷却するための冷却機構１９と、光源１６および冷却機構１９を覆うと共にフィルタ部材１７を支持する筐体２０とを備えている。
【００２３】
光源１６は、図４（ａ）および図４（ｂ）に示すように、いわゆるナローバンドＢ紫外線（ＵＶ−Ｂ）を照射するための紫外蛍光ランプ２１を有している。この紫外蛍光ランプ２１は、平板構造をなしており、互いに対向して配置された一組の紫外線取り出し側基板２２および背面側基板２３と、これら紫外線取り出し側基板２２と背面側基板２３との間に配置された封止用の枠部材２４とを有している。
【００２４】
枠部材２４は、例えばガラス材によって形成されており、紫外線取り出し側基板２２および背面側基板２３の各外周縁に沿って配置されている。紫外蛍光ランプ２１は、一組の各基板２２，２３と枠部材２４とによって、内部が気密に封止された放電室２６が形成されている。この放電室２６内には、放電媒体として例えばキセノンや、キセノンにネオンやアルゴン等の他の希ガスが混合された混合ガス等の気体が封入されている。この気体は、希ガスが１００％であり、例えば従来のナローバンドＵＶ−Ｂの光線治療器等の光源に用いられている水銀励起の紫外蛍光ランプと異なり、水銀蒸気を含有していないので、環境への影響が少なく、発光の立ち上がり特性が向上されている。したがって、紫外蛍光ランプ２１は、照射光の照射強度が充分に確保され、照射領域である各スポットＳにおける照射強度の均一性が向上され、点灯させた際に所望の照射強度の照射光が速やかに得られる。
【００２５】
紫外線取り出し側基板２２は、波長３００ｎｍ以上の光を透過させる紫外透過性のガラス材によって形成されており、図４（ｂ）に示すように、放電室２６側の内面上に、紫外発光蛍光体層２７が形成されている。この紫外発光蛍光体層２７は、真空紫外線励起用のＹＦ3：Ｇｄ（ガドリニウム），Ｐｒ（プラセオジウム）蛍光体、ＹＢＯ3：Ｇｄ，Ｐｒ蛍光体、ＹＢXＯY：Ｇｄ，Ｐｒ蛍光体（但し、Ｘ，Ｙは任意の整数）、（Ｙ1-XＧｄX）Ａｌ3（ＢＯ3）4（但し、０≦Ｘ≦１）蛍光体等や、これら蛍光体を混合してなる混合蛍光体が用いられ、厚さが例えば２０μｍ〜５０μｍ程度にされている。これら紫外発光蛍光体層２７は、例えば、キセノンの放電による主に１４７ｎｍの紫外線によって励起され、３１０ｎｍ近傍に鋭いピークをもつ発光スペクトルのナローバンドＵＶ−Ｂを発光する。なお、３１０ｎｍ近傍に鋭いピークとは、例えば、３１３ｎｍに半値幅５ｎｍ以下程度のピークを指している。また、紫外発光蛍光体層２７は、Ｇｄを付活されている蛍光体で、ＵＶ−Ｂを強く発光するものであれば、Ｐｒを含んでいなくてもよい。
【００２６】
背面側基板２３は、放電室２６側の内面上に、図４（ａ）に示すように、一対の電極２８ａ，２８ｂがそれぞれ設けられている。これら一対の電極２８ａ，２８ｂは、櫛の歯状をなす平面状に形成されおり、互いに歯を向き合わせて、一方の電極の歯の間に他方の電極の歯が入り込んで噛み合わされた状態に配置されている。これら各電極２８ａ，２８ｂ上には、シリカを主成分とする誘電体層２９が形成され、この誘電体層２９上に、上述した紫外発光蛍光体層２７と同一である紫外発光蛍光体層２７が積層されて形成されている。
【００２７】
また、背面側基板２３には、図１に示すように、紫外蛍光ランプ２１の熱を放熱するための複数の放熱フィン２５が立設されている。これら放熱フィン２５は、冷却機構１９に対向する位置に設けられており、冷却機構１９を介して良好に放熱させる。
【００２８】
なお、各電極２８ａ，２８ｂは、例えば、銀や銅等の導電性が比較的高い材料からなる導電性ペーストをスクリーン印刷すること等によって所望のパターンに形成され、微細加工が可能であり、各電極２８ａ，２８ｂの櫛の歯の幅や隣接する歯の間隔（ピッチ）を数十μｍ程度に狭めて容易に形成することが可能にされている。さらに、例えばスパッタリングによる導電性膜の形成とフォトリソグラフィ技術とを組み合わせて用いることで、各電極２８ａ，２８ｂの歯の幅やピッチをμｍオーダー以下に形成することも可能とされ、小型、薄型でありながら照射強度を充分に大きくすることができる。
【００２９】
そして、本実施形態の紫外線照射装置１では、制御部１２の後述する電源３６内のインバータ（不図示）から紫外蛍光ランプ２１の各電極２８ａ，２８ｂの間に、周波数が１０〜１００ｋＨｚ程度、電圧が数ｋＶ程度の正弦波または矩形波等の交流の高電圧が印加される。このような電圧が印加されることで、光源１６は、放電室２６内に誘電体層２９による誘電体バリア放電が生じ、放電媒体であるキセノンが紫外線を放射する。このキセノンが放射する主に波長１４７ｎｍおよび波長１７２ｎｍの紫外線によって、光源１６は、各紫外発光蛍光体層２７が励起され、波長３１０ｎｍ近傍に鋭いピークをもつナローバンドＵＶ−Ｂを発光する。
【００３０】
フィルタ部材１７は、筐体２０の後述するフィルタ装着部３９に着脱可能に係合されており、紫外線の透過率が異なる９種類の遮光フィルタ１８と、遮光フィルタ１８が設けられずに光源１６からの紫外線を通過させる円形状の開口３１とを有している。フィルタ部材１７には、各遮光フィルタ１８、開口３１が直線上に配置されており、紫外線の透過率が例えば１０％から１０％刻みで９０％まで各遮光フィルタ１８が順番に大きくなるように配置され、１００％に相当する開口３１が設けられている。
したがって、このフィルタ部材１７によれば、皮膚に照射強度が異なる１０種類の各スポットＳがそれぞれ形成される。各スポットＳは、直径５ｍｍ〜３０ｍｍ程度に形成され、フィルタ部材１７の一端側から他端側に向かって照射強度が大きくなっている。
【００３１】
なお、遮光フィルタ１８は、医師が診療する際等の必要に応じて、照射強度が異なる１０〜２０種類程度のスポットＳを形成するように、個数が適宜調整されてもよい。また、各遮光フィルタ１８は、１つの直線上に配列されたが、複数の列状、放射状、円周上に沿って配置される等の他の配列にされてもよいことは勿論である。
【００３２】
遮光フィルタ１８は、例えば、ガラス基板が直径５ｍｍ〜３０ｍｍ程度の円形状や、一辺５ｍｍ〜３０ｍｍ程度の方形状等に形成され、このガラス基板の表面に所望の膜厚のクロム膜が成膜されてなる。この遮光フィルタ１８は、クロム膜の膜厚によって透過する光量を制御するように構成されており、例えば反射型固定式ＮＤフィルタ（シグマ光機社製）が用いられている。また、遮光フィルタとしては、ガラス基板の表面に複数の点状の窪みが形成され、これら窪みによる乱反射によって波長３１０ｎｍ近傍の紫外線の透過率を変化させるように構成された光学フィルタ等が用いられてもよい。
【００３３】
また、フィルタ部材１７には、各遮光フィルタ１８および開口３１の外周部に、遮光フィルタ１８からの照射光の光軸方向とほぼ平行に突出されて遮光フィルタ１８を包囲するように一体に連続して形成された突出部３３を有している。すなわち、突出部３３には、各遮光フィルタ１８および開口３１に対応する位置に貫通穴３２がそれぞれ設けられている。したがって、各遮光フィルタ１８、開口３１をそれぞれ通過した各紫外線は、突出部３３の各貫通穴３２の内壁によって、各スポットＳの外方に漏れ出ることが防止される。また、フィルタ部材１７は、突出部３３を皮膚に当接させることで、紫外線照射装置１が皮膚の対象部位に対して位置決めされ、照射位置が安定して容易に保持されるので、紫外線の照射時にスポットＳの位置ずれが生じることが抑えられ、照射位置の精度が向上される。この突出部３３の当接面は、紫外線を照射する対象部位に応じて、対象部位の平均的な形状にならった形状に湾曲されて形成されてもよく、当接位置の安定性を向上し、照射位置の精度を更に向上することができる。
【００３４】
なお、突出部３３は、貫通穴３２を有して一体に形成されたが、照射光がスポットＳの外方に漏れ出ることを遮断するための円筒状や平板状の遮断壁が、各遮光フィルタ１８の外周に亘って囲むように立設される構成にされてもよい。また、フィルタ部材１７は、各遮光フィルタ１８、および光源１６からの紫外線をそのまま透過する開口３１を有する構成にされたが、複数種の遮光フィルタ１８のみを備え、開口がフィルタ部材と別途に設けられる構成にされてもよい。
【００３５】
上述したようにフィルタ部材１７は、筐体２０の一側部に対して着脱可能に構成されたことで、透過率が異なる他の遮光フィルタを有する他のフィルタ部材と容易に差し替えることが可能にされている。
【００３６】
冷却機構１９は、光源１６に隣接する位置に設けられており、図示しないが、複数の冷却ファンと、これら各冷却ファンを回転駆動する複数の駆動モータ（不図示）とを有している。筐体２０には、図１および図２に示すように、各冷却ファンに対応する位置に排気口３４ａがそれぞれ設けられ、側面にスリット状をなす複数の吸気口３４ｂが設けられている。
【００３７】
筐体２０の一側部には、図２および図３に示すように、フィルタ部材１７が着脱可能に係合されて装着されるフィルタ装着部３９が形成されている。また、筐体２０の外周部の一側面には、照射部１１を把持するための取っ手３５が設けられており、この取っ手３５の内部に、接続コード１３の一端が挿通されている。また、この取っ手３５には、光源１６を点灯させる際に押し込み操作するための操作ボタン３８が設けられており、制御部１２に電気的に接続されている。
【００３８】
制御部１２は、光源１６および冷却機構１９に電力を供給する電源３６と、光源１６の点灯状態を制御する制御回路３７とを有している。制御回路３７は、タイマー処理回路を有しており、操作ボタン３８が押し込み操作され、紫外蛍光ランプ２１の点灯時から予め設定された時間が経過した後に、光源１６の紫外蛍光ランプ２１を自動的に消灯させる。
【００３９】
以上のように構成された紫外線照射装置１について、照射強度が異なる複数種のスポットＳをそれぞれ形成する際の操作手順を説明する。
【００４０】
まず、紫外線照射装置１は、患者の例えば腕や腹等の照射部位の皮膚に、照射部１１の突出部３３を当接させた状態で保持される。
【００４１】
次に、操作ボタン３８を押し込み操作することで、光源１６の紫外蛍光ランプ２１が点灯され、紫外蛍光ランプ２１から比較的速やかに所望の照射強度の紫外線が放射され、各遮光フィルタ１８および開口３１を通過した照射光が、異なる照射強度で各スポットＳに照射される。紫外線照射装置１では、紫外線の照射中に、紫外線が各スポットＳの外方に漏れ出ないので、患者は照射部位以外に不必要に照射されることがなく、医師も患者から離れることなく紫外線の曝露が防止される。
【００４２】
続いて、紫外蛍光ランプ２１の点灯時から所定時間が経過した後、制御部１２のタイマー処理回路によって、紫外蛍光ランプ２１が自動的に消灯されることで、照射強度が異なる各スポットＳがそれぞれ形成される。そして、各スポットＳにおける皮膚の状態によって、医師が患者の最少紅斑量を診断する。
【００４３】
上述したように、紫外線照射装置１によれば、紫外線の透過率が異なる複数種の遮光フィルタ１８を有するフィルタ部材１７を備えることによって、従来のような機械的な露光部を備える必要がなく、遮光フィルタ１８によって光学的に、照射強度が異なる各スポットＳを比較的短時間で簡便に形成することができる。したがって、この紫外線照射装置１によれば、光源装置を別途に設置するスペースを確保する必要がなくなり、装置全体の小型化、薄型化を実現することができる。
【００４４】
また、この紫外線照射装置１によれば、貫通穴３２を有する突出部３３を備えることで、各遮光フィルタ１８および開口３１からの照射光がスポットＳの外方に漏れ出ることが防止されるので、患者も照射部位以外の箇所が不必要に曝露されることが防がれると共に、医師が患者から離れた場所に退避することなく曝露されることを防ぐことができる。したがって、突出部３３によれば、医師の曝露を防ぐために、照射光を遮蔽する遮蔽物を別途に設置する作業を省くことができる。加えて、この紫外線照射装置１によれば、突出部３３を皮膚に沿って突き当てることで、照射部１１が安定して保持されるので、照射強度が異なる各スポットＳの照射位置の精度を向上することができる。
【００４５】
また、紫外線照射装置１は、光源１６が平板構造の紫外蛍光ランプ２１を有することで、光源１６による照射光の照射強度が充分に確保され、各スポットＳにおける照射強度の均一性が向上され、光源１６を点灯させた際に所望の照射強度の照射光が速やかに得られると共に、装置全体の小型化、薄型化が図られる。
【００４６】
さらに、この紫外線照射装置１によれば、形成された各スポットＳの状態から最少紅斑量が診断された後、フィルタ部材１７を筐体２０から取り外すことで、光源１６による照射光を遮光することなく直接照射することが可能になり、患者の患部に紫外線を照射して治療を行うための光線治療器としても利用することができる。
【００４７】
以下、他の実施形態について説明する。なお、他の実施形態において、上述した実施形態の紫外線照射装置１と同一の構成部材には、便宜上、同一符号を付して説明を省略する。
【００４８】
（他の実施形態）
上述した紫外線照射装置１は、制御部１２の制御回路３７によって、紫外蛍光ランプ２１の点灯および消灯を経過時間に基づいて切り替えることで照射時間を制御するように構成されたが、照射部が有するシャッタ板によって各遮光フィルタからの照射光を遮断することで照射時間を制御することも更に可能に構成される点が異なる。
【００４９】
他の実施形態の紫外線照射装置は、図５に示すように、皮膚に紫外線を照射するための照射部４１と、この照射部４１を駆動制御するための制御部１２とを備えている。
【００５０】
照射部４１は、光源１６からの紫外線の透過率が異なる複数の遮光フィルタ１８を支持するフィルタ部材４３と、このフィルタ部材４３を矢印ａ方向に移動可能に支持する筐体４４と、各遮光フィルタ１８および開口３１からの各照射光を遮断するためのシャッタ板４６を有するシャッタ機構４５とを備えている。
【００５１】
フィルタ部材４３は、略平板状に形成されており、複数種の遮光フィルタ１８および開口３１がそれぞれ設けられている。フィルタ部材４３の長手方向の両側面には、筐体４４に設けられたガイドレール（不図示）に係合されるガイド溝４８が形成されている。また、フィルタ部材４３には、長手方向の一端部に、後述するフィルタ装着部５１に対して引き出し操作するための操作片４９が設けられている。
【００５２】
筐体４４には、光源１６に対してフィルタ部材４３が挿脱可能に装着されるフィルタ装着部５１が設けられている。このフィルタ装着部５１は、筐体４４の側面に一端が開口されて形成されている。
【００５３】
シャッタ機構４５は、シャッタ板４６と、このシャッタ板４６を矢印ｂ方向に対して移動させる駆動機構４７とを有している。シャッタ板４６は、各貫通穴３２内の各遮光フィルタ１８および開口３１を一斉に遮蔽するのに足る大きさに形成されており、各貫通穴３２を閉塞して照射光を遮断する閉塞位置と、各貫通穴３２を開放して照射光を照射させる開放位置とに移動可能に設けられている。駆動機構４７は、シャッタ板４６に噛合されたギア列（不図示）を駆動するためのモータ５３を有している。
【００５４】
そして、このシャッタ機構４５は、制御部１２の制御回路３７のタイマー処理回路によって、シャッタ機構４５のシャッタ板４６を駆動制御させることで、各遮光フィルタ１８および開口３１からの照射光による照射時間が制御される。また、シャッタ板４６によって、遮光フィルタ１８に塵埃が付着することや、照射部４１の内部に塵埃が進入することも良好に防止することができる。なお、シャッタ板は、光源１６と各遮光フィルタ１８との間に対して進退動作するように設けられて、光源１６からの照射光を遮断する構成にされてもよい。
【００５５】
また、この照射部４１は、任意の遮光フィルタ１８からの紫外線が照射されないように突出部３３の任意の貫通穴３２内に嵌め込まれるカバー部材であるキャップ５５を備えている。キャップ部材５５は、例えば樹脂材等によって有底円筒状に形成されており、貫通穴３２内に係合されることで、その貫通穴３２に対応する遮光フィルタ１８または開口３１からの照射光が遮断される。すなわち、キャップ部材５５によれば、照射が不要とされる任意の照射強度のスポットＳが形成されないように、スポットＳの個数を容易に調整することができる。
【００５６】
また、本実施形態における制御部１２の制御回路３７は、タイマー処理回路によって、シャッタ機構４５のモータ５３を駆動制御することで、シャッタ板４６の開放時から所定の時間経過した後に、シャッタ板４６を閉塞位置に移動させて、シャッタ板４６によって遮光フィルタ１８および開口３１をそれぞれ閉塞させる。なお、制御回路３７は、タイマー処理回路によって、シャッタ機構４５のシャッタ板４６を駆動制御すると共に、紫外蛍光ランプ２１の点灯時間の制御をそれぞれ行うように構成されてもよい。
【００５７】
以上のように構成された紫外線照射部４１は、シャッタ板４６によって各遮光フィルタ１８および開口３１が一斉に閉塞されている状態で、皮膚に突出部３３を突き当てて当接させた状態に保持される。
【００５８】
次に、制御部１２によって紫外蛍光ランプ２１が点灯され、シャッタ機構４５によってシャッタ板４６が開放位置に移動されることで、各遮光フィルタ１８および開口３１を通過した紫外線の照射が開始される。
【００５９】
続いて、シャッタ板４６の開放時から所定の時間経過した後、制御部１２の制御回路３７は、タイマー処理回路によって、シャッタ機構４５のモータ５３を駆動制御することで、シャッタ板４６を閉塞位置に移動させて、シャッタ板４６によって遮光フィルタ１８および開口３１からの照射光が遮断される。また、制御部１２のタイマー処理回路によって、紫外蛍光ランプ２１は自動的に消灯される。これによって、照射強度が異なる各スポットＳがそれぞれ形成される。
【００６０】
上述したように、本実施形態の紫外線照射装置が備える照射部４１によれば、各遮光フィルタ１８および開口３１からの照射光を遮断するシャッタ板４６を有するシャッタ機構４５を備えることによって、光源１６による照射光の照射時間を制御することができる。
【００６１】
また、この照射部４１によれば、フィルタ部材４３をａ方向にスライド操作することで筐体４４のフィルタ装着部５１に対して容易に挿脱することが可能になり、他のフィルタ部材と容易に交換することができる。
【００６２】
（更に他の実施形態）
上述した実施形態の紫外線照射装置は、紫外線を照射する光源を備える構成にされたが、他の光源装置からの照射光によって、照射強度が異なるスポットＳを形成する紫外線照射用器具について説明する。
【００６３】
図６に示すように、本実施形態の紫外線照射用器具２は、紫外線の透過率が異なる複数種の遮光フィルタ１８と、これら遮光フィルタ１８を支持する支持部材６１とを備えている。支持部材６１には、各遮光フィルタ１８および開口３１が直線上に配列されており、長手方向の一端側に、把持するための取っ手６２が一体に形成されている。
【００６４】
要するに、本実施形態の紫外線照射用器具２は、上述の紫外線照射装置の照射部１１，４１が有するフィルタ部材１７，４３を単体で利用する構成にほぼ等しく、外部の光源装置による照射光を遮光することで、照射強度が異なる複数種のスポットＳをそれぞれ形成することが可能にされている。
【００６５】
上述したように、本実施形態の紫外線照射用器具２によれば、各遮光フィルタ１８および開口３１によって照射強度が異なる複数種のスポットＳを光学的に形成することができるため、上述の従来のような機械的な露光部を備える必要がなく、構成の簡素化が図られ、器具全体の小型化、薄型化を実現することができる。
【図面の簡単な説明】
【００６６】
【図１】実施形態の紫外線照射装置を示す模式図である。
【図２】前記紫外線照射装置が備える照射部を示す斜視図である。
【図３】前記照射部を示す斜視図である。
【図４】光源の紫外蛍光ランプを説明するための図であって、（ａ）が横断面図、（ｂ）が縦断面図である。
【図５】他の実施形態に係る照射部を示す斜視図である。
【図６】更に他の実施形態に係る紫外線照射用器具を示す斜視図である。
【符号の説明】
【００６７】
１  紫外線照射装置
１１  照射部
１２  制御部
１６  光源
１７  フィルタ部材
１８  遮光フィルタ
２１  紫外蛍光ランプ
３２  貫通穴
３３  突出部
３９  フィルタ装着部
６１  支持部材
【図１】
2006087472.tif 000003
【図２】
2006087472.tif 000004
【図３】
2006087472.tif 000005
【図４】
2006087472.tif 000006
【図５】
2006087472.tif 000007
【図６】
2006087472.tif 000008